【事件の表示】
　平成１０年特許願第２３９１８０号「Ｘ線増感紙およびそれを用いたＸ線撮影機」拒絶査定不服審判事件〔平成１１年　５月２１日出願公開、特開平１１−１３３１９２〕について、次のとおり審決する。
【結　論】
　本件審判の請求は、成り立たない。
【理　由】
１．手続の経緯 
　本願は、特許法第４１条の規定に基づく優先権主張を伴う平成１０年８月２５日（優先日、平成９年８月２７日）の出願であって、平成１８年３月１５日付けで拒絶査定がなされ、これに対して平成１８年４月２７日に審判請求がなされるとともに、同年５月２９日付けで手続補正がなされたものである。
　
２．本願発明
　平成１８年５月２９日付けの手続補正（以下「本件補正」という。）により、特許請求の範囲は、
「【請求項１】　支持体と、前記支持体上に配置された蛍光体層と、前記蛍光体層上に設けられた保護膜とを具備する放射線増感紙において、前記支持体と蛍光体層との間に、Ｗ、Ｎｂ、ＴａおよびＭｏから選ばれる金属の単体粒子、前記金属を主成分とする合金粒子、および前記金属を主成分とする化合物粒子から選ばれる少なくとも 1種の粒子と結合剤とを有し、かつ厚さが単位面積当たりの重量換算で 2〜40kg/m2 の範囲の前記粒子を具備する粉体層が設けられていることを特徴とする放射線増感紙。
【請求項２】　請求項１記載の放射線増感紙において、前記金属を主成分とする合金は、Ｗ−Ｒｅ合金、Ｗ−Ｍｏ合金、Ｗ−Ｎｂ合金、Ｗ−Ｔａ合金、Ｍｏ−Ｎｂ合金、Ｍｏ−Ｔａ合金およびＮｂ−Ｔａ合金から選ばれる少なくとも 1種であることを特徴とする放射線増感紙。
【請求項３】　請求項１記載の放射線増感紙において、前記金属を主成分とする化合物は、前記金属の炭化物および前記金属の酸化物から選ばれる少なくとも 1種であることを特徴とする放射線増感紙。
【請求項４】　請求項１ないし請求項３のいずれか１項記載の放射線増感紙において、
　前記粒子の平均粒子径が3.0〜5.5μmの範囲であることを特徴とする放射線増感紙。
【請求項５】　請求項１ないし請求項４のいずれか１項記載の放射線増感紙において、高エネルギーＸ線用増感紙であることを特徴とする放射線増感紙。
【請求項６】　請求項１ないし請求項４のいずれか１項記載の放射線増感紙において、１ＭＶ以上の高エネルギーＸ線用増感紙であることを特徴とする放射線増感紙。
【請求項７】　請求項１ないし請求項６のいずれか１項記載の放射線増感紙をＸ線増感紙として用いたことを特徴とするＸ線撮影機。」から、
「【請求項１】　支持体と、前記支持体上に配置された蛍光体層と、前記蛍光体層上に設けられた保護膜とを具備する1MV以上の高エネルギーＸ線用のＸ線増感紙において、前記支持体と蛍光体層との間に、Ｗ、Ｎｂ、ＴａおよびＭｏから選ばれる金属の単体粒子、前記金属を主成分とする合金粒子、および前記金属を主成分とする化合物粒子から選ばれる少なくとも1種の粒子と結合剤とを有し、かつ厚さが単位面積当たりの重量換算で2〜40kg/m2の範囲の前記粒子を具備する粉体層が設けられていることを特徴とするＸ線増感紙。
【請求項２】　請求項１記載のＸ線増感紙において、前記金属を主成分とする合金は、Ｗ−Ｒｅ合金、Ｗ−Ｍｏ合金、Ｗ−Ｎｂ合金、Ｗ−Ｔａ合金、Ｍｏ−Ｎｂ合金、Ｍｏ−Ｔａ合金およびＮｂ−Ｔａ合金から選ばれる少なくとも1種であることを特徴とするＸ線増感紙。
【請求項３】　請求項１記載のＸ線増感紙において、前記金属を主成分とする化合物は、前記金属の炭化物および前記金属の酸化物から選ばれる少なくとも1種であることを特徴とするＸ線増感紙。
【請求項４】　請求項１ないし請求項３のいずれか１項記載のＸ線増感紙において、前記粒子の平均粒子径が3.0〜5.5μmの範囲であることを特徴とするＸ線増感紙。
【請求項５】　請求項１ないし請求項４のいずれか１項記載のＸ線増感紙を用いたことを特徴とするＸ線撮影機。」に補正された。
　　
　してみると、本件補正は、
（１）補正前の請求項１乃至５を削除し
（２）補正後の請求項１に関して、補正前の請求項６が、請求項１ないし請求項４のいずれか１項記載と選択的に請求項を引用していたのを、請求項１に限定し、かつ独立形式で記載し、また、補正前の「放射線増感紙において、１ＭＶ以上の高エネルギーＸ線用増感紙である」ことから、補正前の「放射線増感紙」を、明りようでない記載の釈明を目的として「１ＭＶ以上の高エネルギーＸ線用の増感紙」、または「Ｘ線用の増感紙」と補正した
ことを含む補正である。
　　
　そして、本願の請求項１に係る発明は、本件補正により補正された明細書及び図面の記載からみて、特許請求の範囲の請求項１に記載された事項により特定される次のとおりのものと認める。（以下「本願発明」という。）
「支持体と、前記支持体上に配置された蛍光体層と、前記蛍光体層上に設けられた保護膜とを具備する1MV以上の高エネルギーＸ線用のＸ線増感紙において、前記支持体と蛍光体層との間に、Ｗ、Ｎｂ、ＴａおよびＭｏから選ばれる金属の単体粒子、前記金属を主成分とする合金粒子、および前記金属を主成分とする化合物粒子から選ばれる少なくとも1種の粒子と結合剤とを有し、かつ厚さが単位面積当たりの重量換算で2〜40kg/m2の範囲の前記粒子を具備する粉体層が設けられていることを特徴とするＸ線増感紙。」
　
３．引用刊行物に記載された発明
　原査定の拒絶の理由に引用された特開平５−２７９５９６号公報（以下「引用刊行物１」という。）には、「接着剤下塗層を形成するのに好適な被覆組成物」の発明に関して以下の事項が記載されている。
＜記載事項１＞
「【０００３】従来の放射線写真法においては、Ｘ線写真は目的物を像に従って透過したＸ線によって得られ、いわゆる増感スクリーン（Ｘ線変換スクリーン）中で対応する強度の光に変換される、前記スクリーンにおいてリン光体粒子は透過されたＸ線を吸収し、写真フィルムがＸ線の直接衝突に対してよりも感光性である可視光及び／又は紫外放射線にそれらを変換する。」
＜記載事項２＞
「【００１２】普通のＸ線変換スクリーンは、順に、支持体（基体とも称される）、好適な結合剤中に分散したリン光体粒子を含む層、及び使用中前記層を保護するためのリン光体含有層上に被覆した保護被覆を含む。（略）」
＜記載事項３＞
「【００７０】従来のＸ線増感スクリーンの場合においては、使用するリン光体は、透過性Ｘ線放射線によって衝突されたとき、紫外放射線及び／又は可視光の良好な即発放出及び低残光を有する蛍光物質である。」
＜記載事項４＞
「【００７２】かかるリン光体には例えばタングステン酸カルシウム、（略）フルオロハロゲン化バリウム、及びこれらの２種以上の混合物がある。（略）」
＜記載事項５＞
「【００８０】特定の実施態様によれば、放射線写真スクリーンとも称される本発明の発光物品は、医学用Ｘ線におけるよりも大なるエネルギーのＸ線及びガンマ線を使用する、金属物体の非破壊試験（ＮＤＴ）に使用される。
【００８１】工業用放射線写真に用いるスクリーンにおいては、蛍光リン光体層を金属層又は金属支持体と組合せることが有利であることが見出された、これらの金属は例えばＵＳ３８７２３０９及び３３８９２５５に記載されている如く４６〜８３の範囲の原子番号を有する。リン光体含有層と接触している金属層は、高度に賦勢されたＸ線又はガンマ線によって衝突されたとき、光電子及び二次Ｘ線のエミッターとして作用する。二次低エネルギーＸ線及び光電子は、工業用Ｘ線装置によって放出される高度に賦勢されたＸ線及びガンマ線よりも高効率で隣接リン光体含有層に吸収される、従って写真速度の増大を生ぜしめる。前記金属層又は支持体は、散乱される光を減少する追加の利点を有し、これによって像鮮鋭性が改良される。」
＜記載事項６＞
「【００８２】Research  Disclosure  １９７９年９月、１８５０２項に記載された特定の実施態様によれば、像鮮鋭性は、リン光体含有層と支持体の間のＸ線増感スクリーン中に及び／又は支持体の裏側で、原子番号（Ｚ）が少なくとも４６である重金属の金属化合物例えば塩又は酸化物である非蛍光顔料を含有する顔料−結合剤層を組入れることによって改良される。その目的に使用する好ましい顔料は酸化鉛（ＰｂＯ）であり、これは例えば鉛１００〜４００ｇ／ｍ2 の被覆量で用いる。」
　　
　そして、引用刊行物１の上記記載事項から、以下のことがいえる。
（１）記載事項５に続けて記載された記載事項６における「顔料−結合剤層を組入れることによって改良される。」との記載から、記載事項６に記載されたＸ線増感スクリーンは、記載事項５に記載された蛍光リン光体層を金属層又は金属支持体と組合せた医学用Ｘ線よりも大なるエネルギーのＸ線を使用する放射線写真スクリーンを改良した、エネルギーの大きいＸ線用のＸ線増感スクリーンであることが分かる。
（２）リン光体含有層と支持体の間のＸ線増感スクリーン中に顔料−結合剤層が組入れられているので（記載事項６）、Ｘ線増感スクリーンが、支持体と、該支持体上に配置したリン光体含有層とを具備するエネルギーの大きいＸ線用のＸ線増感スクリーンであることは明らかである。
（３「リン光体含有層と支持体の間のＸ線増感スクリーン中に及び／又は支持体の裏側で、原子番号（Ｚ）が少なくとも４６である重金属の金属化合物例えば塩又は酸化物である非蛍光顔料を含有する顔料−結合剤層を組入れることによって改良される。その目的に使用する好ましい顔料は酸化鉛（ＰｂＯ）であり」（記載事項６）との記載から、支持体とリン光体含有層との間に、鉛１００〜４００ｇ／ｍ2 の被覆量で用いる酸化鉛（ＰｂＯ）―結合剤層が設けられていることは明らかである。
　
　したがって、上記記載事項１乃至６に基づけば、引用刊行物１には、
「支持体と、前記支持体上に配置したリン光体含有層とを具備するエネルギーの大きいＸ線用のＸ線増感スクリーンにおいて、前記支持体とリン光体含有層との間に、鉛１００〜４００ｇ／ｍ2 の被覆量で用いる酸化鉛（ＰｂＯ）―結合剤層が設けられているＸ線増感スクリーン。」の発明（以下「引用発明」という。）が記載されている。
　
　同じく、原査定の拒絶の理由に引用された特開昭４８−８１５８２号公報（以下「引用刊行物２」という。）には、「ラジオグラフ増感スクリーンの改良」の発明に関して以下の事項が記載されている。
＜記載事項７＞
「２．特許請求の範囲
（１）ハロゲン化銀記録材料を用いた情報のラジオグラフ記録に使用するのに適したラジオグラフ増感スクリーン組合せ体において、上記組合せ体が／原子番号４６〜８３を有する金属の少なくとも１種からなるかまたは含有する少なくとも一つの金属層またはシート、および２少なくとも一つの蛍光層またはシートからなり、（中略）ラジオグラフ組合せ体。」（第１ページ左下欄第４行〜同右下欄第５行）
＜記載事項８＞
「３．発明の詳細な説明
　本発明はラジオグラフイ用の改良された増感スクリーン（ｉｎｔｅｎｓｉｆｙｉｎｇ　ｓｃｒｅｅｎ）組合せ体に関する。
　ラジオグラフイにおける増感スクリーンとして金属スクリーンを使用することは良く知られている。
　かかるスクリーンの増感効果は一次入射Ｘ線の吸収によって形成される二次Ｘ線および電子の放出に基いている。
　上記金属スクリーンは低エネルギーの散乱された放射線のためのフィルターとして作用し，金属スクリーン上に傾斜して衝突する低エネルギー線を有効に吸収する。
　Ｘ線の影響下に螢光を発するタングステン酸カルシウムの如き固体物質を含有する層またはシートを含有する螢光スクリーンは医学的Ｘ線の分野では使用されている。しかしながらそれらはより活性な（ｅｎｅｒｇｅｔｉｃ）Ｘ線またはガンマ線を使用するときはその有効性が劣る。このとき螢光スクリーン中へ浸透するＸ線およびガンマ線の吸収はそれらのエネルギーに反比例する。厚さを増大させることによつてより大なる吸収を得ることができるが、これは像の鮮鋭度を失うという代償を伴う。」（第３ページ左上欄第１４行〜同右上欄第１８行）
＜記載事項９＞
「金属スクリーンと蛍光スクリーンの両方が接触関係に配置されている両スクリーンの組合せ体が特に有用である。」（第４ページ左下欄第４〜６行）
＜記載事項１０＞
「金属スクリーンは単一の支持されたまたは自己支持金属層で構成してもよく、あるいは多数の積重した金属層で構成してもよい。金属スクリーンまたは多数のスクリーン層は前述した如き原子番号を有する純粋金属で構成してもよくあるいはそれを組入れてもよい、あるいはかかる金属を含有する合金で構成してもよい。
　好ましい増感スクリーン組合せ体は少なくとも一つの金属スクリーン層を含有し、この層はその少なくとも５０重量％が原子番号４６〜８３を有する金属またはこれらの金属混合物で構成する。
　好ましい金属スクリーンは主として（少なくとも５０重量％）銀、錫、テルル、タリウム、タングステン、白金、金、水銀、タンタル、鉛、またはビスマス、またはそれらの合金から層またはシートの形で含有するか構成する。これらの中、タングステンと銀は上述した螢光物質と組合せて特に有用性を発揮する。
　金属層またはシートの厚さは、使用する放射線の活性スペクトルに応じて、０．００５〜０．１mmの範囲にあるのが好ましい。かくすることによって、金属箔によつて放出される二次Ｘ線および電子線での特に良好な増幅が得られ、散乱した放射線はできる限り完全に除去される。好適な被支持金属層は金属蒸着によつて形成できる。好適な厚さの金属箔は圧延によつて得られる。
　金属スクリーンは米国特許第３５８４２１６号明細書に記載されている如く溝または刻み目をつけた面を有することができる。
　本発明の好ましいスクリーン組合せ体においては、金属スクリーン素子（層またはシート）は、螢光スクリーン素子のため使用したのと同じ支持体で支持させる。かかる支持体は例えば紙、ガラス、布、またはプラスチツクフイルムから作る、後者の支持体は厚さが約０．２ｍｍであるのが好ましい。
　かかる複合スクリーンにおいては、金属スクリーン素子は支持体と螢光材料層の間に挿入し、それに接着剤層で接着させるのが好ましい。」（第１２ページ左上欄第１７行〜同左下欄第１６行）
＜記載事項１１＞
「本発明により使用する金属スクリーン・螢光スクリーン組合わせ体の増感効果は、ラジオグラフ法において、１００ｋＶ以上のエネルギーのＸ線または普通に知られている高活性化ガンマ線を使用するとき特に大である。」（第１２ページ右下欄第１２〜１６行）
　　
４．対比
　本願発明と引用発明とを比較する。
（１）引用発明の対象である「Ｘ線増感スクリーン」は本願発明の対象である「Ｘ線増感紙」に相当する。
　
（２）引用刊行物１には、「リン光体」に関して、
引用刊行物１には、
「【００７０】従来のＸ線増感スクリーンの場合においては、使用するリン光体は、透過性Ｘ線放射線によって衝突されたとき、紫外放射線及び／又は可視光の良好な即発放出及び低残光を有する蛍光物質である。」（記載事項３）及び「【００７２】かかるリン光体には例えばタングステン酸カルシウム、（略）フルオロハロゲン化バリウム、及びこれらの２種以上の混合物がある。」（記載事項４）と記載されていることから、引用発明の「リン光体含有層」は本願発明の「蛍光体層」に相当する。
　
（３）引用発明の「エネルギーの大きいＸ線用」と本願発明の「1MV以上の高エネルギーＸ線用」とは、高エネルギーＸ線用の点で共通する。
　
（４―１）引用発明の「酸化鉛（ＰｂＯ）―結合剤層」において、酸化鉛（ＰｂＯ）の形状が粒子状であることは明らかであるので、引用発明の「酸化鉛（ＰｂＯ）―結合剤層」は、本願発明の「金属を主成分とする化合物粒子と結合剤とを有」する本願発明の「粉体層」に相当することは明らかである。
（４−２）引用発明の「鉛１００〜４００ｇ／ｍ2 の被覆量で用いる」と本願発明の「厚さが単位面積当たりの重量換算で2〜40kg/m2の範囲の粒子を具備する」とは、厚さが単位面積当たりの重量換算で所定範囲の粒子を具備する点で共通する。
（４−３）したがって、引用発明の「鉛１００〜４００ｇ／ｍ2 の被覆量で用いる酸化鉛（ＰｂＯ）―結合剤層」と本願発明の「Ｗ、Ｎｂ、ＴａおよびＭｏから選ばれる金属の単体粒子、前記金属を主成分とする合金粒子、および前記金属を主成分とする化合物粒子から選ばれる少なくとも1種の粒子と結合剤とを有し、かつ厚さが単位面積当たりの重量換算で2〜40kg/m2の範囲の前記粒子を具備する粉体層」とは、金属の単体粒子、前記金属を主成分とする合金粒子、および前記金属を主成分とする化合物粒子から選ばれる少なくとも1種の粒子と結合剤とを有し、かつ厚さが単位面積当たりの重量換算で所定範囲の前記粒子を具備する粉体層の点で共通する。
　
　よって、両者は、
「支持体と、前記支持体上に配置された蛍光体層とを具備する高エネルギーＸ線用のＸ線増感紙において、前記支持体と蛍光体層との間に、Ｗ、Ｎｂ、ＴａおよびＭｏから選ばれる金属の単体粒子、前記金属を主成分とする合金粒子、および前記金属を主成分とする化合物粒子から選ばれる少なくとも1種の粒子と結合剤とを有し、かつ厚さが単位面積当たりの重量換算で2〜40kg/m2の範囲の前記粒子を具備する粉体層が設けられていることを特徴とするＸ線増感紙。」の点で一致し、以下の点で相違する。
[相違点１]
　本願発明は、蛍光体層上に設けられた保護膜を具備するのに対して、引用発明は、そのような保護膜を具備するとは規定されていない点。
[相違点２]
　Ｘ線増感紙が、本願発明は、1MV以上の高エネルギーＸ線用であるのに対して、引用発明は、高エネルギーＸ線用に留まり、Ｘ線のエネルギーが限定されていない点。
[相違点３]
　粉体層の有する粒子が、本願発明は、Ｗ、Ｎｂ、ＴａおよびＭｏから選ばれる金属の単体粒子、前記金属を主成分とする合金粒子、および前記金属を主成分とする化合物粒子から選択される少なくとも１種の粒子であるのに対して、引用発明は、酸化鉛の粒子である点。
[相違点４]
　粒子を具備する粉体層の厚さを、該粒子の単位面積当たりの重量換算の所定範囲で規定した点について、本願発明は、上記所定範囲が２〜４０Ｋｇ／ｍ2の範囲であるのに対して、引用発明は、上記所定範囲が１００〜４００ｇ／ｍ2である点。
　
５．当審の判断
　上記相違点について検討する。
（１）相違点１
　引用刊行物１には、Ｘ線増感スクリーン（Ｘ線増感紙）において、蛍光体層上に保護被覆（保護膜）を設けることが記載されており（記載事項１、２）、相違点１に係る本願発明の発明特定事項は格別なものではない。
　
（２）相違点２
　引用発明の「Ｘ線増感スクリーン（Ｘ線増感紙）」が高エネルギーＸ線用であり、また、Ｘ線撮影に用いられるＸ線のエネルギーは、Ｘ線装置の性能、撮影対象の種類、撮影時間等を考慮して、適宜に設定する設計事項であるので、Ｘ線増感スクリーン（Ｘ線増感紙）を本願発明のように、1MV以上の高エネルギーＸ線用とすることは、格別なことではない。
　
（３）相違点３
　引用刊行物１には、支持体と蛍光体層との間に設けられる層として、原子番号（Ｚ）が少なくとも４６である重金属の金属化合物例えば塩又は酸化物である非蛍光顔料を含有する顔料−結合剤層が記載され、その顔料の実施例として、引用発明の「酸化鉛（ＰｂＯ）」が記載されている（記載事項６）。
　また、引用刊行物１には、鮮鋭性を改良するため、スクリーン（Ｘ線増感紙）において、蛍光リン光体層（蛍光体層）を原子番号４６〜８３の金属層と組合わせることも記載されている（記載事項５）。
　これらの記載から、鮮鋭性を改良するためには、支持体と蛍光体層との間に設けられる金属層の金属として、原子番号４６〜８３の金属が有効であることはもとより、支持体と蛍光体層との間に、原子番号４６〜８３の金属原子を有する層が設けられていれば、有効であることは、当業者であれば明らかである。
　そして、引用刊行物２には、高エネルギーＸ線用のＸ線増感紙において、支持体と螢光体層（蛍光体層）との間に設けられる原子番号４６〜８３の金属スクリーンの具体例な金属として、鉛に加えて、タングステン、タンタルが記載されている。
　してみると、引用発明は、酸化鉛（ＰｂＯ）―結合剤を用いているが、それに代えて、引用刊行物２に記載されるタングステン、タンタルの酸化物―結合剤を用いること、すなわち、本願発明のように、Ｗ、Ｎｂ、ＴａおよびＭｏから選ばれる金属の単体粒子、前記金属を主成分とする合金粒子、および前記金属を主成分とする化合物粒子から選択される少なくとも１種の粒子である粒子を用いることは、当業者が引用刊行物１及び２に記載された発明に基づいて容易に想到し得たことである。
　
　したがって、相違点３に係る発明の発明特定事項は、引用刊行物１及び２に記載された発明に基づいて当業者が容易に想到し得たことである。
　
（４）相違点４
　粒子を具備する粉体層の厚さは、上記粒子を構成する金属原子の種類、Ｘ線のエネルギーに応じて適宜に設定し得る設計事項であるので、粒子の単位面積当たりの重量換算で２〜４０Ｋｇ／ｍ2の範囲とした点は、格別なものではない。
　
　また、本願発明の効果は、引用刊行物１及び２の記載から当業者が予測し得る範囲内のものである。
　
　６．むすび
　以上のとおり、本願発明は、引用刊行物１及び２に記載された発明に基づいて当業者が容易に想到し得たものであるから、特許法第２９条第２項の規定により特許を受けることができない。
　
　よって、結論のとおり審決する。